(57)【要約】【課題】照明ムラを改善するために生地板の背後に装備される網点印刷体が光輝される指標内に写り込むことがない文字板を提供すること。【解決手段】光透過性材料で形成された意匠部５を有した生地板３１と、意匠部５の周囲を覆うように生地板３１の背面に印刷形成された遮光性の意匠枠３７と、意匠部５の照明ムラを改善するために生地板３１の背後に配置される網点印刷体４１とを備え、該網点印刷体４１の背後からの光照射によって、意匠部５を生地板３１の前面側に光輝させる文字板７において、生地板３１の背面側に入射光を拡散する光拡散板を配置し、この光拡散板の背面に網点印刷体４１を形成したことで、網点印刷体４１が光輝される指標３，４内に写り込むことを防止して、見栄えを向上させることができる。【選択図】図３
2010048562.tif 000002
【特許請求の範囲】
【請求項１】
光透過性材料により目盛や文字などの指標を形成された意匠部を有した生地板と、
前記意匠部の周囲を覆うように前記生地板の背面に印刷形成された遮光性の意匠枠と、
前記意匠部の照明ムラを改善するために前記生地板の背後に配置される網点印刷体とを備え、
当該網点印刷体の背後から光を照射することにより、前記意匠部が前記生地板の前面側に向けて光輝される文字板であって、
前記生地板の背面側に、入射光を拡散する光拡散板が配置され、当該光拡散板の背面に前記網点印刷体が形成されたことを特徴とする文字板。
【請求項２】
前記光拡散板は、空隙を介して前記生地板の背面側に配置されていることを特徴とする請求項１に記載の文字板。
【発明の詳細な説明】
【技術分野】
【０００１】
本発明は、例えば車両等に搭載される速度計などの表示装置に使用されて、該表示装置内の目盛や文字などの意匠部を光輝表示する文字板に関する。
【背景技術】
【０００２】
図４は、車両に搭載される速度計に使用される文字板の従来例を示したものである。なお、この種の技術は、下記特許文献１にも記載されている。
図４に示した文字板１０１は、光透過性材料（透明材料）で目盛や文字などの指標１０３により構成される意匠部１０５ａを有した生地板１０５と、この生地板１０５の表面に積層処理される所定の光透過率のスモーク層１０７と、生地板１０５の背後に適宜離間距離Ｌを隔てて配置される光拡散板１０９とを備えている。
【０００３】
生地板１０５の背面には、意匠部１０５ａの周囲を覆うように、遮光性の意匠枠１１１が印刷形成されている。この意匠枠１１１は、不透明な黒色インク等の印刷により形成されている。
【０００４】
図示の指標１０３は、数字の「４」である。
【０００５】
生地板１０５は、ポリカーボネート樹脂やアクリル樹脂などの光透過性のある材料で形成されている。
【０００６】
意匠部１０５ａを構成する指標１０３は、生地板１０５の背面領域で、意匠枠１１１を印刷しない領域に、光透過性のインク等によって所定色（例えば、白色）の着色層１１３を形成することで、所望の発色を得るようにしている。
意匠部１０５ａの発色は、着色層１１３の着色を変更することで、任意色に変更することができる。
【０００７】
上記の意匠部１０５ａを構成している指標１０３は、光拡散板１０９の背後に配置される不図示の光源からの光照射によって光輝される。
生地板１０５の表面に設けられたスモーク層１０７は、光源からの光照射が無いときに、指標１０３を見えにくくすることにより、光源消灯時における意匠性を向上させるものである。
【０００８】
上記の文字板１０１では、意匠部１０５ａの照明ムラを改善するために、生地板１０５の背後に、不透明なインク等による網点印刷体１１５が備えられる。
従来の場合、上記網点印刷体１１５は、意匠枠１１１と同様に、生地板１０５の背面に直接印刷されている。
【０００９】
【特許文献１】特開２００８−１３９０８７号公報
【発明の開示】
【発明が解決しようとする課題】
【００１０】
ところが、上記の文字板１０１では、光源からの光照射によって指標１０３が光輝される時には、意匠枠１１１と同一階層に印刷されている網点印刷体１１５自体の黒点像１１５ａが、指標１０３内に写ってしまい、指標１０３の見栄えが低下するという問題があった。
【００１１】
本発明の目的は上記課題を解消することに係り、照明ムラを改善するために生地板の背後に装備される網点印刷体の像が光輝される指標内に写ることがなく、網点印刷体の写り込みによる見栄えの低下が生じない文字板を提供することにある。
【課題を解決するための手段】
【００１２】
本発明の前述した目的は、下記の構成により達成される。
（１）  光透過性材料により目盛や文字などの指標を形成された意匠部を有した生地板と、
前記意匠部の周囲を覆うように前記生地板の背面に印刷形成された遮光性の意匠枠と、
前記意匠部の照明ムラを改善するために前記生地板の背後に配置される網点印刷体とを備え、
当該網点印刷体の背後から光を照射することにより、前記意匠部が前記生地板の前面側に向けて光輝される文字板であって、
前記生地板の背面側に、入射光を拡散する光拡散板が配置され、当該光拡散板の背面に前記網点印刷体が形成されたことを特徴とする文字板。
【００１３】
（２）  前記光拡散板は、空隙を介して前記生地板の背面側に配置されていることを特徴とする前記（１）に記載の文字板。
【００１４】
上記（１）の構成によれば、意匠部の指標を光照射によって前記生地板の前面側に光輝させるときには、網点印刷体を透過する照明により発生する網点印刷体自体の黒点像は、光拡散板における拡散作用により拡散消滅するため、照明ムラを改善するために生地板の背後に装備される網点印刷体の像が光輝される指標内に写ることがなくなる。
従って、上記の文字板を使用する表示装置等では、網点印刷体によって意匠部の照明ムラを抑えて、意匠部の指標をムラ無く光輝させることができ、その一方、網点印刷体の写り込みによって指標の見栄えが低下することを無くして、見栄えの良い指標の表示が実現できる。
【００１５】
上記（２）の構成によれば、光拡散板が、空隙を介して前記生地板の背面側に配置されていることにより、光拡散板から生地板に達する光の拡散効果がより向上する。
【発明の効果】
【００１６】
本発明による文字板によれば、照明ムラを改善するために生地板の背後に装備される網点印刷体の像が光輝される指標内に写ることがなくなり、網点印刷体の像の写り込みによる見栄えの低下を防止して、見栄えの良い指標の表示を実現することができる。
【発明を実施するための最良の形態】
【００１７】
以下、本発明に係る文字板の好適な実施の形態について、図面を参照して詳細に説明する。
図１は本発明に係る文字板を使用した表示装置の一実施の形態の正面図、図２は図１に示した表示装置の縦断面図、図３（ａ）は図１に示した文字板のＢ部の拡大図、図３（ｂ）は（ａ）のＣ−Ｃ断面図である。
【００１８】
図１及び図２に示した表示装置１は、車両に搭載されてその車両の走行速度の表示を行う速度計であり、円形に形成されてその外周縁の円周方向に速度表示用の指標３，４からなる意匠部５を有した文字板７と、この文字板７の表面に沿って回動して意匠部５の指標３，４を指示する指針９と、文字板７の意匠部５の周囲を縁取るように文字板７の表面側に装備される装飾リング１１と、文字板７及び装飾リング１１をその背面側から支持するケース１３と、文字板７及び指針９及び装飾リング１１の前方を覆うようにケース１３の前面側に取り付けられる表ガラス１５と、ケース１３の背面側に取り付けられた回路基板１７と、この回路基板１７上に装備されて指針９の回動量を制御する内機（ムーブメント）１９と、文字板７に対向する回路基板１７上に装備されて文字板７に照明光を照射する光源２１と、回路基板１７や内機１９を覆うようにケース１３の背面側に取り付けられる裏カバー２３とで構成されている。
【００１９】
ケース１３には、文字板７を取り付けるための円形の窪み１３ａや、光源２１の出射する光を文字板７側に配光する反射部１３ｂが一体形成されている。
【００２０】
意匠部５を構成している指標３は、速度表示用の目盛である。また、指標４は、目盛に対応した速度を示す数値文字である。
【００２１】
本実施形態の文字板７は、図３に示すように、前述の意匠部５を有した生地板３１と、この生地板３１の表面に積層処理される所定の光透過率のスモーク層３３と、生地板３１の背後に適宜離間距離Ｌを隔てて配置される光拡散板３５とを備えている。
【００２２】
生地板３１の背面には、意匠部５を構成している指標３，４の周囲を覆うように、遮光性の意匠枠３７が印刷形成されている。この意匠枠３７は、不透明な黒色インク等の印刷により形成されている。
【００２３】
図３（ａ）に示した指標４は、数字の「４」である。
【００２４】
生地板３１は、ポリカーボネート樹脂やアクリル樹脂などの光透過性のある材料で形成されている。
【００２５】
意匠部５を構成している指標３，４は、生地板３１の背面領域で、意匠枠３７を印刷しない領域に、光透過性のインク等によって所定色（例えば、白色）の着色層３９を形成することで、所望の発色を得るようにしている。
意匠部５の発色は、着色層３９の着色を変更することで、任意色に変更することができる。
【００２６】
上記の意匠部５に形成した指標３，４は、光拡散板３５の背後に配置された光源２１からの光照射によって光輝される。
【００２７】
生地板３１の表面に設けられたスモーク層３３は、光源２１からの光照射が無いときに、指標３，４を見えにくくすることにより、光源２１の消灯時における表示装置１の意匠性を向上させるものである。
【００２８】
上記の文字板７では、意匠部５を構成している各指標３，４の照明ムラを改善するために、生地板３１の背後に、不透明なインク等による網点印刷体４１が備えられている。
そして，本実施形態の場合、上記網点印刷体４１は、光拡散板３５の背面に印刷されている。光拡散板３５は、光源２１からの入射光を拡散させる上で必要な光学特性を備えた半透明な板材である。また、光拡散板３５は、生地板３１から空隙を介して配置されている。すなわち、光拡散板３５は、指標３，４を提供する着色層３９から適宜離間距離ｓを隔てて配置されている。光拡散板３５が、生地板３１の着色層３９から距離ｓを隔てて配置されていることにより、光拡散板３５から生地板３１に達する光の拡散効果がより向上する。
【００２９】
以上に説明した文字板７では、光源２１からの意匠部５の指標３，４を光照射によって生地板３１の前面側に光輝させるときには、網点印刷体４１を透過する照明により発生する網点印刷体４１自体の黒点像は、光拡散板における拡散作用により拡散消滅するため、照明ムラを改善するために生地板３１の背後に装備される網点印刷体４１の像が光輝される指標３，４内に写ることがなくなる。
従って、上記の文字板７を使用する表示装置１では、網点印刷体４１によって意匠部５の照明ムラを抑えて、意匠部５の指標３，４をムラ無く光輝させることができ、その一方、網点印刷体４１の写り込みによって指標３，４の見栄えが低下することを無くして、見栄えの良い指標３，４の表示が実現できる。
【００３０】
なお、本発明の文字板が使用される表示装置は、上記実施形態に示した速度計に限らない。
例えば、車両に搭載されるタコメータや、燃料残量計、水温計などの各種の表示装置における文字板に使用することで、これらの表示装置の見栄えを向上させることができ、また車両に搭載される表示装置以外でも、光輝させる意匠部を有する各種の文字板に応用することができる。
【図面の簡単な説明】
【００３１】
【図１】本発明に係る文字板を使用した表示装置の一実施の形態の正面図である。
【図２】図１に示した表示装置の縦断面図である。
【図３】（ａ）図１に示した文字板のＢ部の拡大図、（ｂ）は（ａ）のＣ−Ｃ断面図である。
【図４】（ａ）従来の文字板の正面図、（ｂ）のＡ−Ａ断面図である。
【符号の説明】
【００３２】
１  表示装置
３  指標
４  指標
５  意匠部
７  文字板
９  指針
１１  装飾リング
１３  ケース
１５  表ガラス
１７  回路基板
２１  光源
２３  裏カバー
３１  生地板
３３  スモーク層
３５  光拡散板
３９  着色層
４１  網点印刷体
【図１】
2010048562.tif 000003
【図２】
2010048562.tif 000004
【図３】
2010048562.tif 000005
【図４】
2010048562.tif 000006